(57)【要約】【課題】  多数の電源の動作状態を検出してホスト装置により各電源の集中管理等を行なうことができる電源モニタ端末装置を提供する。【解決手段】  電源モニタ端末装置は、（１）電源ＣＭ（ｘ）の正負端子にそれぞれ接続される２つの端子１２，１４、（２）電源の正負端子から供給される電力により動作し、当該正負端子間の電圧値を取得する電源情報取得回路１１１Ａ、（３）通信ケーブル２２から供給される電力により動作し、電源情報取得回路が取得した正負端子間の電圧値情報と電源に割り当てられたＩＤとからなる電源情報を通信ケーブルを介して所定のホスト装置４２Ａに送信する通信回路１１１２Ａを備えたことを特徴とする。【選択図】    図４
2005286922.tif 000002
【特許請求の範囲】
【請求項１】
複数の電源からなる電源システムの前記各電源にそれぞれ設けられる電源モニタ端末装置であって、
前記電源の正負端子にそれぞれ接続される２つの端子と、
前記電源の正負端子から供給される電力により動作し、当該電池の動作情報を取得する電源情報取得回路と、
通信ケーブルおよび／または前記電源から供給される電力により動作し、前記電源情報取得回路が取得した前記動作情報と前記電源に割り当てられたＩＤとからなる電源情報を前記通信ケーブルを介して所定のホスト装置に送信する通信回路と、
を備えたことを特徴とする電源モニタ端末装置。
【請求項２】
前記複数の電源の一部または全部が、直列および／または並列接続された複数の電源要素の組であることを特徴とする請求項１に記載の電源モニタ端末装置。
【請求項３】
前記複数の電源が、電気的に相互に独立していることを特徴とする請求項１に記載の電源モニタ端末装置。
【請求項４】
前記電源情報取得回路は、前記２つの電源コネクタから前記電源の電圧を昇圧または降圧する電源回路を備えたことを特徴とする請求項１から３の何れかに記載の電源モニタ端末装置。
【請求項５】
前記電源からの電力により動作する回路と前記ケーブルとは絶縁素子により絶縁されていることを特徴とする請求項１から４の何れかに記載の電源モニタ端末装置。
【請求項６】
前記電源情報は、前記電源の正負端子間電圧であり、前記電源情報取得回路は前記正負端子間電圧を検出することを特徴とする請求項１から５の何れかに記載の電源モニタ端末装置。
【請求項７】
前記電源情報は、前記電源の正端子または負端子を流れる電流の値であり、前記電源情報取得回路は前記電流を検出する電流検出回路を備えたことを特徴とする請求項１から６の何れかに記載の電源モニタ端末装置。
【請求項８】
前記電源情報取得回路は、前記電源の表面または周囲温度を検出する温度検出回路を備えたことを特徴とする請求項１から７の何れかに記載の電源モニタ端末装置。
【発明の詳細な説明】
【技術分野】
【０００１】
本発明は、多数の電源の動作状態を電源モニタ端末装置により検出してホスト装置により各電源の集中管理等を行なうことができるシステムに適用される前記電源モニタ端末装置に関する。
【背景技術】
【０００２】
たとえば、電話局に設置される緊急時用電池のモニタシステムは、図１の機能ブロック図に示すように、電池ユニットＵを構成する複数の電源ＣＭ１〜ＣＭ１２が太実線で示す電源ラインＥＬにより直・並列接続されて構成されている。
【０００３】
図３の実構成図にも示すように、電池ユニットＵは、ＣＭ１〜ＣＭ３の第１の直列接続セット，ＣＭ４〜ＣＭ６の第２の直列接続セット，ＣＭ７〜ＣＭ９の第３の直列接続セット，ＣＭ１０〜ＣＭ１２の第４の直列接続セットが並列接続されて構成されている。
【０００４】
電池ユニットＵには、ホスト装置９０と、電池ユニットＵに設けられた故障電池検出回路９１と、電源ＣＭ１〜ＣＭ１２の正負端子との間にそれぞれ接続された細実線で示したチェック用ラインＣＬからなる電源モニタシステム９が付帯している。
【０００５】
故障電池検出回路９１は、図２に示すように電源ＣＭ１〜ＣＭ１２の正負端子間電圧を検出する１２個の差動増幅器９１１と、各差動増幅器９１１からの出力電圧を選択する選択回路９１２と、選択回路９１２が選択した差動増幅器９１１のアナログ出力をデジタルデータに変換するＡ／Ｄ変換回路９１３と、選択回路９１２やＡ／Ｄ変換回路９１３を制御する制御回路９１４とを備えている。
【０００６】
ホスト装置９０は、所定時間ごとに故障電池検出回路９１にチェック開始要求を発行し、これに応じて、故障電池検出回路９１は、電源ＣＭ１〜ＣＭ１２の正負端子間電圧の値をチェックすることができる。
【発明の開示】
【発明が解決しようとする課題】
【０００７】
ところが、図１，図２に示した電源モニタシステム９では、図３の実構成図に示すようにチェック用ラインＣＬの本数が多くなるため配線が煩雑となるし、メンテナンスにも手間がかかるという問題がある。
【０００８】
本発明は、多数の電源の動作状態を電源モニタ端末装置により検出してホスト装置により各電源の集中管理等を行なうことができるシステムに適用される前記電源モニタ端末装置を提供することを目的とする。
【課題を解決するための手段】
【０００９】
本発明の電源モニタ端末装置は、複数の電源からなる電源システムの前記各電源にそれぞれ設けられるもので、前記電源の正負端子にそれぞれ接続される２つの端子と、前記電源の正負端子から供給される電力により動作し、当該電池の動作情報（電圧，電流，温度等）を取得する電源情報取得回路と、通信ケーブルおよび／または前記電源から供給される電力により動作し、前記電源情報取得回路が取得した前記動作情報と前記電源に割り当てられたＩＤとからなる電源情報を前記通信ケーブルを介して所定のホスト装置に送信する通信回路とを備えたことを特徴とする。
【００１０】
本発明におけるモニタ対象となる電源は、典型的には、電話局等に設置されるバックアップ用電源、電気・電子機器用のバックアップ電源であるが、非常灯の電源用キャパシタにも適用できる他、蛍光灯の安定器等の各種電気機器の電源に応用することもできる。
【００１１】
本発明の電源モニタ端末装置は、前記複数の電源の一部または全部が、複数の電源要素の組である場合に当該電源の組全体の電圧，電流等を検出することができる。
【００１２】
本発明の電源モニタ端末装置は、前記２つの電源コネクタから前記電源の電圧を昇圧または降圧する電源回路を備えることができる。
【００１３】
本発明の電源モニタ端末装置では、前記電源からの電力により動作する回路と前記ケーブルとは絶縁素子（コンデンサ，フォトカプラ等）により絶縁されるように構成できる。
【００１４】
本発明の電源モニタ端末装置では、前記電源情報を前記電源の正負端子間電圧とすることができ、前記電源情報取得回路は前記正負端子間電圧を検出するように構成することができるし、前記電源情報を、前記電源の正端子または負端子を流れる電流の値とすることができ、前記電源情報取得回路は前記電流を検出するように構成することができる。
【００１５】
また、電源情報取得回路は、前記電源の表面または周囲温度を検出する温度検出回路を備えることもできる。
【発明の効果】
【００１６】
本発明では複数の電源についての動作状態（電源状態）の検出を行なうことができ、さらに電源情報をホスト装置において管理することができる。本発明では、電源の動作状態を検出することで、電源の不良等をチェックできるほか、当該電源から電力の供給を受けて動作している機器等をチェックすることができる。
【発明を実施するための最良の形態】
【００１７】
《第１実施形態》
図４は本発明の電源モニタ端末装置の第１実施形態を示す説明図である。以下の実施形態では、電源として二次電池モジュールを例に説明するが本発明はこれに限定されず、たとえば燃料電池、キャパシタ等の電源にも応用される。
【００１８】
図４において、電源モニタ端末装置１Ａは、電源情報取得回路１１１Ａを内蔵するとともに２つのソケット１１２１，１１２２を備えた本体部１１と、本体部１１から突出するように形成された負端子１２と、本体部１１から引き出されたケーブル１３と、ケーブル１３の先端に設けられた正端子１４と、ケーブル１３の線路上に設けたヒューズ部１５とからなる。本実施形態では、電源モニタ端末装置１Ａは、モニタ対象となる複数の電源ＣＭｘ（ｘ＝１，２，・・・，１２）にそれぞれ設けられる。
【００１９】
電源情報取得回路１１１Ａは、図５に示すように、増幅器１１１１と、Ａ／Ｄコンバータ１１１２と、シリアル通信ロジック１１１３と、絶縁素子１１１４と、通信中継回路１１１５と、ドライバ・レシーバ１１１６とを備えている。シリアル通信ロジック１１１３と通信中継回路１１１５とドライバ・レシーバ１１１６とが本発明の通信回路を構成する。
【００２０】
図５の例では、増幅器１１１１、Ａ／Ｄコンバータ１１１２およびシリアル通信ロジック１１１３は電源からの電力により駆動され、シリアル通信ロジック１１１３、通信中継回路１１１５およびドライバ・レシーバ１１１６は、後述する電源情報受信回路４１Ａからの電力により駆動される。Ａ／Ｄコンバータ１１１２は電源ＣＭｘの正負端子間電圧Ｖ（ｘ）（アナログ値）をデジタル電圧値（動作情報）Ｄｖに変換する。
【００２１】
本実施形態では、電源ＣＭｘは直／並列接続されており、Ａ／Ｄコンバータ１１１２の正負入力電圧値の何れかが、グランド電圧（ゼロ〔Ｖ〕）であるとは限らない（正負入力電圧値が、グランド電圧に対してシフトしている）。したがって、電源からの電力により動作する回路とケーブル１３との絶縁を行う必要があり、電源情報取得回路１１１Ａでは、絶縁素子１１１４によりシリアル通信ロジック１１１３，通信中継回路１１１５間を絶縁している。これにより、通信中継回路１１１５は、シリアル通信ロジック１１１３からデジタル電圧値Ｄｖを受け取ることができる。なお、絶縁素子１１１４としてキャパタを用いているが、フォトカプラ，トランスを用いることもできる。
【００２２】
Ａ／Ｄコンバータ１１１２は増幅器１１１１を介して受信したＣＭｘの正負端子間電圧をデジタル電圧値Ｄｖに変換し、これを動作情報としてシリアル通信ロジック１１１３に渡す。ＣＭｘのＩＤはシリアル通信ロジック１１１３に記録されており、シリアル通信ロジック１１１３はＩＤとデジタル電圧値Ｄｖとを電源情報ｉｎｆ（ｘ）として、絶縁素子１１１４を介して通信中継回路１１１５に渡し、通信中継回路１１１５はドライバ・レシーバ１１１６を介して電源情報ｉｎｆ（ｘ）を電池情報受信回路に出力する。
【００２３】
通信回路１１１２Ａは所定の規格に準拠したインタフェースを備えており、図４に示すように通信ケーブル２２は、コネクタ２１１，２１２により電源情報取得回路１１１Ａに接続されている。
【００２４】
なお、図示はしないが電源情報取得回路１１１Ａには、電源ＣＭｘからの電圧を昇圧または降圧する、Ａ／Ｄコンバータ１１１２およびシリアル通信ロジック１１１３を駆動するための電源回路を設けることができる。この場合には、電源回路の前段からＡ／Ｄコンバータ１１１２へのアナログ信号の入力が行なわれ、電源回路１１１４は、Ａ／Ｄコンバータ１１１２，シリアル通信ロジック１１１３の定格に応じて、電源ＣＭｘの正負端子間電圧（端子１２，１４間の電圧）を昇圧または降圧してＡ／Ｄコンバータ１１１２，シリアル通信ロジック１１１３に出力することができる。
【００２５】
図６は上記した電源モニタ端末装置１Ａを応用した電源モニタシステムの説明図である。図６において、電源モニタ端末装置１Ａは、各電源ＣＭ１，ＣＭ２，・・・，ＣＭ１２に対応させて、１Ａ（１），１Ａ（２），・・・，１Ａ（１２）で示してある。ここで、電源ＣＭ１〜ＣＭ１２は、電源モジュールである。電池ユニットＵは、停電等の緊急時に使用されるもので、図６では、電源ＣＭ１〜ＣＭ１２は、太実線で示す電源ラインＥＬにより直・並列接続されている。すなわち、図７の実構成図にも示すように、電池ユニットＵは、ＣＭ１〜ＣＭ３の第１の電源直列接続セット，ＣＭ４〜ＣＭ６の第２の電源直列接続セット，ＣＭ７〜ＣＭ９の第３の電源直列接続セット，ＣＭ１０〜ＣＭ１２の第４の電源直列接続セットが並列接続されて構成される。図７では、電源ＣＭ１〜ＣＭ１２のうち所定のモジュール同士は、接続プレートＰ（図４における電源ラインＥＬに相当する）により接続されている。なお、本発明は、電池ユニットＵを構成する電池モジュールの個数や接続態様は本実施形態には限定されない。
【００２６】
電源モニタシステム４Ａは、電源ＣＭ１，ＣＭ２，・・・，ＣＭ１２ごとにそれぞれ設けられたモニタ端末装置（符号１Ａ（１），１Ａ（２），・・・，１Ａ（１２）で示す）と、ホスト装置４２Ａと、電源情報受信回路４１Ａとを備えている。モニタ端末装置１Ａ（１），１Ａ（２），・・・，１Ａ（１２）はそれぞれ２つの端子を備えており、これらの端子が電源ＣＭ１，ＣＭ２，・・・，ＣＭ１２の正負端子にそれぞれ接続されている。
【００２７】
モニタ端末装置１Ａ（ｘ）（ｘ＝１，２，・・・，１２：以下同様）は通信ケーブル２２により電源情報受信回路４１Ａに接続されており、電源情報受信回路４１Ａはホスト装置４２Ａに接続されている。
【００２８】
図８は電源情報取得回路１１１Ａの他の構成例を示す説明図である。図８において、電源情報取得回路１１１Ａでは、絶縁素子１１１４は設けられておらず、電源からの電力により動作する回路とケーブル１３との絶縁は絶縁型ドライバ・レシーバ１１１６′により行っている。
【００２９】
図６および図７に示したホスト装置４２Ａは、電源情報受信回路４１Ａを介して電源情報Ｉｎｆ（ｘ）を受信することができる。図９に示すように、ホスト装置４２Ａは、ＣＰＵ４２１と、記憶装置４２２（ここでは、ＲＯＭ４２２１とＲＡＭ４２２２とからなる）と、通信回路４２３と、ディスプレイ４２４とを含んでいる。
【００３０】
ＣＰＵ４２１は、ＲＯＭ４２２１またはＲＡＭ４２２２に格納されたモニタプログラムを実行することができる。モニタプログラムは、通信回路４２３により取得した電源情報Ｉｎｆ（ｘ）について所定条件を満たしているか否かの判定を行い、判定結果に応じて所定の処理を行なう。たとえば、電源情報Ｉｎｆ（ｘ）を構成する電圧情報（デジタル値Ｄ（ｘ））が所定値以下である場合には、所定の処理、たとえば、該当するＩＤ（ｘ）を持つ電源についてディスプレイ４２４による警告表示を行なうことができる。
【００３１】
記憶装置４２２は、ＲＯＭ４２２１，ＲＡＭ４２２２に加え、さらにハードディスク等の磁気記録媒体を含むことができる。通信回路４２３は電源情報受信回路４１Ａから電源情報を受信することができる。なお、電源モニタシステム４Ａでは、電源情報受信回路４１Ａを設けずに、通信回路４２３がモニタ端末装置１Ａ（ｘ）から電源情報Ｉｎｆ（ｘ）を受信するようにもできる。ディスプレイ４２４には、電源ＣＭｘが不良である場合の警告表示、あるいは電池モジュールＣＭｘは正常である旨の表示を行なうことができる。
【００３２】
以下、上記した電源モニタシステム４Ａの動作を、図１０〜図１２のフローチャートにより説明する。
図１０のフローチャートに示すように、ホスト装置４２Ａが電源情報Ｉｎｆ（ｘ）の取得処理を開始すると、まずｘがゼロにセットされる（Ｓ１０１：ｘ＝０とする）。次に、ｘをインクリメントし（Ｓ１０２：ｘ＝１とし）、電源ＣＭ１に対し電源情報の送信を要求する（Ｓ１０３）。
【００３３】
ホスト装置４２Ａは、電源情報を受信するまで待機し（Ｓ１０４）、電源情報を受信すると、これを所定記憶部（たとえば、図９のＲＡＭ４２２２）に格納する（Ｓ１０５）。つぎにｘが所定の値ｍａｘ（図５〜図８の例ではｍａｘ＝１２）を超えたか否かを判断する（Ｓ１０６）。ｘ＝１のときには、処理をＳ１０２に戻し、ｘをインクリメントし（ｘ＝２とし）てＳ１０３〜Ｓ１０６の処理を繰り返し、ｘの値を「１２」にまで増加させる。
ｘ＝１３となったときは、ｘ＞ｍａｘとなるので、Ｓ１０６では処理を電源情報解析プロセスに渡し（Ｓ１０７）、電源情報Ｉｎｆ（ｘ）の取得処理を終了する。
【００３４】
一方、図１１のフローチャートに示すように、モニタ端末装置１Ａ（ｘ）の通信回路１１１２Ａは、ホスト装置４２Ａから電源情報受信回路４１Ａを介して電源情報Ｉｎｆ（ｘ）の送信要求を受信すると（Ｓ２０１）、Ａ／Ｄコンバータ１１１２に端子間電圧Ｖ（ｘ）の検出を指示する（Ｓ２０３）。
【００３５】
ここで、通信回路（シリアル通信ロジック１１１３、通信中継回路１１１５、ドライバ・レシーバ１１１６）はＡ／Ｄコンバータ１１１２から、端子間電圧Ｖ（ｘ）の検出値（デジタルデータＤ（ｘ））を受け取ったとき（Ｓ２０３の「ＹＥＳ」）は、電源情報受信回路４１Ａを介してホスト装置４２Ａに、Ｄ（ｘ）と電源ＣＭｘのＩＤ（ｘ）とを電源情報Ｉｎｆ（ｘ）として送信する（Ｓ２０４）が、検出値（デジタルデータＤ（ｘ））を受け取らないとき（Ｓ２０３の「ＮＯ」）は、ＩＤ（ｘ）のみを電源情報Ｉｎｆ（ｘ）として送信する（Ｓ２０５）。
【００３６】
ホスト装置４２Ａが、モニタ端末装置１Ａ（ｘ）の通信回路から、電源情報Ｉｎｆ（ｘ）を取得した後の解析プロセスを図１２により説明する。電源情報Ｉｎｆ（ｘ）の解析プロセスが開始されると、まず、ｘがゼロにセットされる（Ｓ３０１：ｘ＝０とする）。次に、ｘをインクリメントし（Ｓ３０２：ｘ＝１とし）、電源ＣＭ１の電圧データＤ（１）を記憶装置（図９のＲＡＭ４２２２）から読み出す（Ｓ３０３）。次に、電圧データＤ（１）が示す電圧値Ｖｄ（１）が、所定の上限電圧値（Ｖｄｍａｘ）以下か否か（Ｖｄ（１）≦Ｖｄｍａｘ）をチェックする（Ｓ３０４）。Ｖｄ（１）＞Ｖｄｍａｘのとき（Ｓ３０４の「ＮＯ」）は警告を出力し（Ｓ３０６）、Ｖｄ（１）≦Ｖｄｍａｘのとき（Ｓ３０４の「ＹＥＳ」）は処理をＳ３０５に渡す。Ｓ３０５では、電圧データＤ（１）が示す電圧値Ｖｄ（１）が、所定の下限電圧値（Ｖｄｍｉｎ）以上か否か（Ｖｄ（１）≦Ｖｄｍａｘ）をチェックする。Ｖｄ（１）＜Ｖｄｍｉｎのとき（Ｓ３０５の「ＮＯ」）は警告を出力し（Ｓ３０６）、Ｖｄ（１）≧Ｖｄｍｉｎのとき（Ｓ３０５の「ＹＥＳ」）は、ｘが所定の値ｍａｘ（図５〜図８の例ではｍａｘ＝１２）を超えたか否かを判断する（Ｓ３０７）。ｘ＝１のとき（Ｓ３０７の「ＹＥＳ」）には、処理をＳ３０２に戻し、ｘをインクリメントし（ｘ＝２とし）てＳ３０３〜Ｓ３０７の処理を繰り返し、ｘの値を「１２」にまで増加させる。
【００３７】
ｘ＝１３となったときは、ｘ＞ｍａｘとなるので（Ｓ３０７の「ＮＯ」）、処理を電源情報Ｉｎｆ（ｘ）の解析プロセスを終了する。
Ｓ３０６での警告出力は、ディスプレイ（図９の符号４２４参照）による画像出力、あるいは他の機器への通信出力により実現することができる。
【００３８】
《第２実施形態》
図１３は、本発明の電源モニタ端末装置の第２実施形態を示す説明図である。
図１３の電源モニタ端末装置１Ｂは、図４の電源モニタ端末装置１Ａと基本的には同じである、本体部１１に備えられたソケットが、本実施形態では符号１１２で示すひとつのみである点が、電源モニタ端末装置１Ａとは異なっている。
【００３９】
また、本体部１１に内蔵される電源情報取得回路１１１Ｂの通信回路は、採用される通信方式等により、第１実施形態の電源情報取得回路１１１Ａの通信回路と同じこともあるし、異なることもある。
本実施形態の電源モニタ端末装置１Ｂのソケット１１２には、コネクタ２３が接続される。コネクタ２３はケーブル２４の一方端に設けられており、ケーブル２４の他方は分岐装置２５に接続されている。分岐装置２５は、ケーブル２６に設けられている。
【００４０】
図１４の電源情報取得回路１１１Ｂは、増幅器１１１１と、Ａ／Ｄコンバータ１１１２と、シリアル通信ロジック１１１３と、絶縁素子１１１４と、通信中継回路１１１５と、ＲＳ４８５インタフェース１１１７とを備えている。シリアル通信ロジック１１１３と通信中継回路１１１５とＲＳ４８５インタフェース１１１７とが本発明の通信回路を構成する。
【００４１】
図１４の例では、増幅器１１１１、Ａ／Ｄコンバータ１１１２およびシリアル通信ロジック１１１３は電源からの電力により駆動され、シリアル通信ロジック１１１３、通信中継回路１１１５およびＲＳ４８５インタフェース１１１７は、後述する電源情報受信回路４１Ａからの電力により駆動される。
【００４２】
図１３の電源モニタ端末装置１Ｂを応用した電源モニタシステム４Ｂを図１５に示し、実構成図を図１６に示す。図１５，図１６の電源モニタシステム４Ｂは、図６，図７の電源モニタシステム４Ａと基本的には同じである。ただし、図１５，図１６では各電源モニタ端末装置１Ｂは、ケーブル２６に設けられた分岐装置２５に接続されている。電源情報受信回路４１Ｂやホスト装置４２Ｂは、採用される通信方式等により、第１実施形態の電源情報取得回路１１１Ａやホスト装置４２Ａと同じこともあるし異なることもある。
《第３実施形態》
【００４３】
図１７は、本発明の電源モニタ端末装置の第３実施形態を示す説明図である。
図１７の電源モニタ端末装置１Ｃの外観は、図１３の電源モニタ端末装置１Ｂと同じであり、ソケット１１２に取り付けられたケーブル２４（コネクタを２３で示す）を介してハブ２７に接続されている。
【００４４】
図１７の電源モニタ端末装置１Ｃの電源情報取得回路１１１Ｃは、図１８に示すように、電源モニタ端末装置１Ｂの電源情報取得回路１１１Ｂ（図１４参照）と基本的には同じである。ただし、ＲＳ４８５インタフェース１１１７がハブ３７に接続される点が、図１４の電源情報取得回路１１１Ｂとは異なっている。
【００４５】
図１７の電源モニタ端末装置１Ｃを応用した電源モニタシステム４Ｃを図１９に示す。図１９の電源モニタシステム４Ｃの電源情報受信回路４１Ｃやホスト装置４２Ｃの機能は、第１および第２実施形態の電源情報取得回路１１１Ａ，１１１Ｂやホスト装置４２Ａ，４２Ｂと機能は基本的に同じである。
【００４６】
《第４実施形態》
図２０は、本発明の電源モニタ端末装置の第４実施形態の説明図である。図２０では、図７や図１６に示したと同様の電池ユニットＵの一部（電源ＣＭ７，ＣＭ８，ＣＭ１０，ＣＭ１１）に電源モニタ端末装置が搭載された様子が示されている。図２０では、電源ＣＭ８，ＣＭ１１には図４に示した電源モニタ端末装置１Ａが取り付けられており、電源ＣＭ７，ＣＭ１０には本実施形態の電源モニタ端末装置１Ｄが取り付けられている。
【００４７】
また、電源ＣＭ７の負端子と電源ＣＭ８の正端子との接続、および電源ＣＭ１０の負端子と電源ＣＭ１１の正端子との接続は、電源ラインＥＬ′により行なわれている。
電源モニタ端末装置１Ｄは、本体部１１と、本体部１１から突出するように形成された負端子１２と、本体部１１から引き出されたケーブル１３と、ケーブル１３の先端に設けられた正端子１４と、ケーブル１３の線路上の設けたヒューズ部１５と、本体部１１からケーブル１６を介して引き出され電源ラインＥＬ′に接続されたホールセンサ１７とからなる。
【００４８】
電源モニタ端末装置１Ｄに内蔵される電源情報取得回路１１１Ｄは、図２１に示すように、増幅器１１１１，１１１９と、Ａ／Ｄコンバータ１１１２と、シリアル通信ロジック１１１３と、絶縁素子１１１４と、通信中継回路１１１５と、ドライバ・レシーバ１１１６と、切換え器１１１８とを備えている。
【００４９】
図２１の例では、増幅器１１１１，１１１９、Ａ／Ｄコンバータ１１１２およびシリアル通信ロジック１１１３は電源からの電力により駆動され、シリアル通信ロジック１１１３、通信中継回路１１１５およびドライバ・レシーバ１１１６は、図示しない電源情報受信回路からの電力により駆動される。
【００５０】
Ａ／Ｄコンバータ１１１２は増幅器１１１１、および増幅器１１１９を介して受信したＣＭｘの正負端子間電圧、ＣＭｘを流れる電流の値をデジタル電圧値Ｄｖ、デジタル電流値Ｄｉに変換し、これらを動作情報としてシリアル通信ロジック１１１３に渡す。ＣＭｘのＩＤはシリアル通信ロジック１１１３に記録されており、シリアル通信ロジック１１１３はＩＤとデジタル電圧値Ｄｖとデジタル電流値Ｄｉとを、電源情報Ｉｎｆ（ｘ）として、絶縁素子１１１４を介して通信中継回路１１１５に渡し、通信中継回路１１１５はドライバ・レシーバ１１１６を介して電源情報Ｉｎｆ（ｘ）を電池情報受信回路に出力する。
【００５１】
ホスト装置は、デジタル電圧値Ｄｖ、デジタル電流値Ｄｉ、デジタル温度値Ｄｔを検出することで、異常な電池を早期発見することができる。
電源モニタ端末装置１Ｄでは、切換回路１１６を切り換えることにより、電池ユニットＵの各電源ＣＭｘの正負端子間電圧のほか、直列接続された電源群を流れる電流を検出することができる。したがって、ホスト装置は、この電流値をも検出することで、異常な電池を早期発見することができる。
【００５２】
《第５実施形態》
図２２は、本発明の電源モニタ端末装置の第５実施形態の説明図である。図２２では、電池ユニットＵの電源ＣＭ７，ＣＭ１０に、図２０に示した電源モニタ端末装置１Ｄに代えて電圧・電流・温度検出機能を有する電源モニタ端末装置１Ｅが設けられ、電源ＣＭ８，ＣＭ１１に、図２０に示した電源モニタ端末装置１Ａに代えて電圧・温度検出機能を有する電源モニタ端末装置１Ｆが設けられている。電源モニタ端末装置１Ｅ，１Ｆは、それぞれケーブル１８を介して取り付けられた温度センサ１９を備えている。
【００５３】
電源モニタ端末装置１Ｅは、図２３に示すように図２１の構成に温度センサ１９が接続された増幅器１１２０が追加された構成をなし、電源モニタ端末装置１Ｆは、図２４に示すように図２３の構成から電流検出用の増幅器１１１９が取り除かれた構成をなしている。
【００５４】
図２３において、Ａ／Ｄコンバータ１１１２は増幅器１１１１、および増幅器１１１９，１１２０を介して受信したＣＭｘの正負端子間電圧、ＣＭｘを流れる電流の値、温度センサ１９の感知温度を、デジタル電圧値Ｄｖ、デジタル電流値Ｄｉ、デジタル温度値Ｄｔに変換し、これらを動作情報としてシリアル通信ロジック１１１３に渡す。ＣＭｘのＩＤはシリアル通信ロジック１１１３に記録されており、シリアル通信ロジック１１１３はＩＤとデジタル電圧値Ｄｖとデジタル電流値Ｄｉとデジタル温度値Ｄｉとを、電源情報Ｉｎｆ（ｘ）として、絶縁素子１１１４を介して通信中継回路１１１５に渡し、通信中継回路１１１５はドライバ・レシーバ１１１６を介して電源情報Ｉｎｆ（ｘ）を電池情報受信回路に出力する。
【００５５】
ホスト装置は、デジタル電圧値Ｄｖ、デジタル電流値Ｄｉ、デジタル温度値Ｄｔを検出することで、異常な電池を早期発見することができる。
【００５６】
図２４において、Ａ／Ｄコンバータ１１１２は増幅器１１１１、および増幅器１１２０を介して受信したＣＭｘの正負端子間電圧、温度センサ１９の感知温度を、デジタル電圧値Ｄｖ、デジタル温度値Ｄｔに変換し、これらを動作情報としてシリアル通信ロジック１１１３に渡す。ＣＭｘのＩＤはシリアル通信ロジック１１１３に記録されており、シリアル通信ロジック１１１３はＩＤとデジタル電圧値Ｄｖとデジタル電流値Ｄｔを、電源情報Ｉｎｆ（ｘ）として、絶縁素子１１１４を介して通信中継回路１１１５に渡し、通信中継回路１１１５はドライバ・レシーバ１１１６を介して電源情報Ｉｎｆ（ｘ）を電池情報受信回路に出力する。
ホスト装置は、デジタル電圧値Ｄｖ、デジタル温度値Ｄｔを検出することで、異常な電池を早期発見することができる。
【００５７】
上記した第１〜第５実施形態の電源モニタ端末装置は、電源を持つ各種の機器に適用できる。たとえば、上記した第４，第５実施形態の電源モニタ端末装置を、たとえば蛍光灯の安定器に適用する場合には、安定器の故障のみならず、安定器を流れる電流を検出することで蛍光灯の不良を検出することができる。
【図面の簡単な説明】
【００５８】
【図１】従来の緊急時用電池のモニタシステムを示すブロック図である。
【図２】従来のモニタシステムにおける電池チェック回路を示す図である。
【図３】従来の電池ユニットＵの実構成図である。
【図４】本発明の電源モニタ端末装置の第１実施形態を示す説明図である。
【図５】第１実施形態の電源モニタ端末装置の電源情報取得回路の一例を示す図である。
【図６】図４の電源モニタ端末装置を応用した電源モニタシステム示す図である。
【図７】図７の電源モニタシステムの実構成図である。
【図８】第１実施形態の電源モニタ端末装置の電源情報取得回路の他の例を示す図である。
【図９】図７に示したホスト装置を示す回路図である。
【図１０】ホスト装置による電源情報の取得処理を示すフローチャートである。
【図１１】モニタ端末装置における処理を示すフローチャートである。
【図１２】ホスト装置による電源情報の解析プロセスを示すフローチャートである。
【図１３】本発明の電源モニタ端末装置の第２実施形態を示す説明図である。
【図１４】図１３の電源モニタ端末装置の電源情報取得回路の他の例を示す図である。
【図１５】図１３の電源モニタ端末装置を応用した電源モニタシステム示す図である。
【図１６】図１５の電源モニタシステムの実構成図である。
【図１７】第３実施形態の電源モニタ端末装置の電源情報取得回路を示す図である。
【図１８】本発明の電源モニタ端末装置の第３実施形態の説明図である。
【図１９】図１８の電源モニタ端末装置がハブを介して樹脂状に接続されて構成された電源モニタシステムを示す図である。
【図２０】電流検出機能を備えた第４実施形態の電源モニタ端末装置およびこれを応用した電源モニタシステムの実構成図である。
【図２１】電流検出機能を備えた第４実施形態の電源モニタ端末装置の電源情報取得回路の例を示す図である。
【図２２】温度検出機能を備えた第５実施形態の電源モニタ端末装置およびこれを応用した電源モニタシステムの実構成図である。
【図２３】温度検出機能を備えた第５実施形態の電源モニタ端末装置の電源情報取得回路の例を示す図である。
【図２４】温度検出機能を備えた第５実施形態の電源モニタ端末装置の電源情報取得回路の他の例を示す図である。
【符号の説明】
【００５９】
１Ａ  電源モニタ端末装置
１１  本体部
１２  負端子
１３  ケーブル
１４  正端子
１５  ヒューズ部
２２  通信ケーブル
４１Ａ  電源情報受信回路
４２Ａ  ホスト装置
１１１Ａ  電源情報取得回路
４２１  ＣＰＵ
４２２  記憶装置
４２３  通信回路
４２４  ディスプレイ
１１１１  増幅器
１１１２  Ａ／Ｄコンバータ
１１１３  シリアル通信ロジック
１１１４  絶縁素子
１１１５  通信中継回路
１１１６  ドライバ・レシーバ
１１１６′  絶縁は絶縁型ドライバ・レシーバ
１１２１，１１２２  ソケット
４２２１  ＲＯＭ
４２２２  ＲＡＭ
ＣＭｘ（ｘ＝１，２，・・・，１２）  電源
Ｄ（ｘ）  電圧情報のデジタル値
Ｉｎｆ（ｘ）  電源情報
Ｖ（ｘ）  正負端子間電圧
【図１】
2005286922.tif 000003
【図２】
2005286922.tif 000004
【図３】
2005286922.tif 000005
【図４】
2005286922.tif 000006
【図５】
2005286922.tif 000007
【図６】
2005286922.tif 000008
【図７】
2005286922.tif 000009
【図８】
2005286922.tif 000010
【図９】
2005286922.tif 000011
【図１０】
2005286922.tif 000012
【図１１】
2005286922.tif 000013
【図１２】
2005286922.tif 000014
【図１３】
2005286922.tif 000015
【図１４】
2005286922.tif 000016
【図１５】
2005286922.tif 000017
【図１６】
2005286922.tif 000018
【図１７】
2005286922.tif 000019
【図１８】
2005286922.tif 000020
【図１９】
2005286922.tif 000021
【図２０】
2005286922.tif 000022
【図２１】
2005286922.tif 000023
【図２２】
2005286922.tif 000024
【図２３】
2005286922.tif 000025
【図２４】
2005286922.tif 000026